(57)【特許請求の範囲】
【請求項１】
処理水槽と、この処理水槽内に設置される直方体の消毒槽とを備え、上記消毒槽の３側面に設けられた高さ方向の幅が等しい上記消毒槽への流入口を備え、上記処理水槽から消毒槽への流入口が、消毒槽水平断面投影領域内にあり、消毒槽側面より消毒槽水平断面投影領域内へと入り込むバッフルを有し、上記バッフルが処理水槽の液面下に配置される汚水浄化槽。
【請求項２】
請求項１において、バッフルが、平板からなる汚水浄化槽。
【請求項３】
請求項１又は２において、消毒槽への流入口が、消毒槽内部へと向かう上向き傾斜の通水路を有する汚水浄化槽。
【発明の詳細な説明】
【技術分野】
【０００１】
本発明は、生活排水を処理する汚水浄化槽に関する。
【背景技術】
【０００２】
汚水浄化槽は、生活排水を処理して、系外へと放出するものであり、家庭用の小型のものは、地中に埋設して使用されることが多い。
【０００３】
生活排水の処理は、様々な手法が用いられているが、一般的には嫌気処理を行った後に、好気処理を行い、塩素等により消毒をしてから放流される。
消毒を行う部位は、消毒槽と呼ばれ、嫌気・好気の生物処理を終えた後に、処理水槽を用いて沈殿分離を行い、上澄み液を越流堰に乗り越えさせ、消毒を行うことが多い（特許文献１参照）。
【０００４】
また、特許文献２に示されるように、処理水槽の液面よりも更に下方へと垂下させた移流管を設け、この移流管を通過した後に消毒を行うものもある。
【０００５】
上記特許文献１又は２に示されるものは、越流堰又は移流管を用いることにより、できる限りスカムの流出を抑えることを考え、設計されている。
【特許文献１】実開平４−１１４４９５号
【特許文献２】特開平１１−１３８１８６号公報
【発明の開示】
【発明が解決しようとする課題】
【０００６】
しかしながら、特許文献１に記載されるものは、越流堰を設けることでスカムの流出を多少は抑えることができるが、流入ピーク時等の流量が多い時には、スカムが流出してしまう恐れがある。
また、越流堰の水平度の調整は、浄化槽設置時及び維持管理時に、都度行う必要があるため、この作業が煩わしいものとなっていた。
【０００７】
特許文献２に記載されるものは、水平度に左右されず、又、越流堰を不要にしたものであり、処理水槽の液面に発生したスカムの流出を防ぐことができるが、水中に浮遊しているＳＳ（浮遊物質）の流出に対しては効果が期待できない。
【０００８】
本発明は上記問題点を鑑みてなされたものであり、消毒槽内へのスカム及び汚泥等の流出を防止することのできる汚水浄化槽を提供することを目的とする。
【課題を解決するための手段】
【０００９】
本発明は、以下のものに関する。
（１）処理水槽と、この処理水槽内に設置される直方体の消毒槽とを備え、上記消毒槽の３側面に設けられた高さ方向の幅が等しい上記消毒槽への流入口を備え、上記処理水槽から消毒槽への流入口が、消毒槽水平断面投影領域内にあり、消毒槽側面より消毒槽水平断面投影領域内へと入り込むバッフルを有し、上記バッフルが処理水槽の液面下に配置される汚水浄化槽。
（２）項（１）において、バッフルが、平板からなる汚水浄化槽。
（３）項（１）又は（２）において、消毒槽への流入口が、消毒槽内部へと向かう上向き傾斜の通水路を有する汚水浄化槽。
【発明の効果】
【００１０】
本願発明によれば、処理水槽と、この処理水槽内に配置される消毒槽とを備え、上記処理水槽から消毒槽への流入口が、消毒槽水平断面領域内にあり、消毒槽側面より消毒槽水平断面投影領域内へと入り込むバッフルを有することで、スカムや汚泥等のＳＳが消毒槽内に流入することを防止でき、安定した処理水質を得ることができる。
バッフルが処理水槽の液面下に配置される場合は、浮上しているスカムがバッフルにより、消毒槽へと流入することがない。
バッフルが平板からなる場合は、浮上しようとするスカムを弾くことができる。
消毒槽が直方体である場合は、平板部材が多いので加工しやすく、他の部材との接触面積を大きくとれ、強固に設置しやすい。
消毒槽への流入口が消毒槽の３側面に設けられた場合は、処理水槽から消毒槽への流入口面積を大きくすることで、処理水の移流速度を抑えることができる。
消毒槽への流入口が、その高さ方向の幅が等しい場合は、処理水の移流速度を等しくすることができる。
消毒槽への流入口が、消毒槽内部へと向かう上向き傾斜の通水路を有する場合は、傾斜に沿ってスカムや汚泥等を沈降させることができる。
【発明を実施するための最良の形態】
【００１１】
本発明にて述べる処理水槽とは、嫌気処理及び／又は好気処理を行う槽と、消毒を行う槽との間（処理工程として間）に配置される槽であり、沈殿分離機能を有しているものである。
処理水槽を配置する位置は、特に限定されるものではなく、任意に決定することができるが、好気処理槽等の直前の処理を行う槽に隣接配置することで、汚水処理装置全体を小型化することができる。
【００１２】
本発明にて述べる消毒槽とは、前述した処理水槽を通過した処理水の消毒処理を行えるものであればよく、消毒薬剤として塩素剤等を用いることができる。
消毒槽は、処理水槽内に配置されるものであり、処理水槽から処理水を流入させる流入口と、消毒後の処理水を流出させる流出口を有し、他の部分は壁面により処理槽と区画される。
消毒槽の形状は、特に限定されるものではないが、処理水槽内に設置することを考えると、少なくとも側面が平板により形成されるものが好ましく、加工が容易な直方体形状が特に好ましい。このような消毒槽であれば、消毒槽を本処理水槽内に組み込むにあたり、処理水槽内壁との接触面積を多くすることができ、強固な接着・固定ができる。
【００１３】
本発明にて述べる消毒槽水平断面投影領域とは、図１に示すように、消毒槽１０を任意の水平断面にて切断した面積を、その外郭部分について投影し、最大となる領域を指す。
図２の例では、断面Ａが断面Ｂに含まれており、断面Ｂの水平断面にて切断した面積の投影領域が、消毒槽水平断面投影領域となる。図３は、投影領域を説明するために消毒槽の任意の断面積形状を用いて説明するものであり、消毒槽水平断面投影領域は、任意の断面Ｃ、断面Ｄ、断面Ｅを投影により合わせた外郭、すなわち、最も外側の輪郭で囲まれた領域Ｆで示される。したがって、本発明のバッフルは、図３においては、消毒槽水平断面投影領域Ｆの内側にあれば良い。ここで示した通り、消毒槽の水平断面投影領域とは、ある任意の断面積の外郭に沿って連続で投影した時に得られる最大の領域を指すものである。
消毒槽への流入口は、その形状、大きさ、個数等を限定されるものではないが、流入口面積をより大きくすることで、処理水の移流速度を抑えることができ、ＳＳの沈降を促進させることができる。
また、消毒槽への流入口を複数設ける場合には、その流入口の高さ方向の幅を等しくすることで、流入口における処理水槽の流入速度を等しくし、ＳＳの沈降を促進させることができる。
消毒槽の流入口には、消毒槽内部へと向かう上向き傾斜の通水路を設けることもできる。このような通水路を設けた場合は、この傾斜面がホッパー効果をもたらし、ＳＳ等が後述するバッフルを通過してしまっても、傾斜に沿って沈降することが可能である。
【００１４】
本発明にて述べるバッフルとは、スカムバッフルを意味し、処理水槽内のスカムが、消毒槽内へと流入することを阻止する。
バッフルの配置位置は、一端を消毒槽側面とし、他方を先に説明した消毒槽水平断面投影領域内としている。
バッフルは、どのような形状のものを用いても良いが、平板形状のものが引っかかりなく、スカム等を良く弾くために好ましい。
【００１５】
以下、図面を用いて本願発明の実施例を説明する。
図１は、本願発明に用いる消毒槽の１実施例を示す斜視図である。
消毒槽１０は、略直方体形状をしており、隣接する３側面に高さ方向を同一幅とした消毒槽１０への流入口２６を設けている。流入口２６には、バッフル１３を、消毒槽水平断面投影領域１４内へと向かうように設置してある。
【００１６】
図４は、図１に示す消毒槽１０の断面図を示し、図５は、図１に示す消毒槽１０の平面図を示す。
消毒槽１０での水の流れは、上向き傾斜の通水路２７に沿って処理水が移流し、バッフル１３を通過した後に、消毒樋１６、消毒筒１１を通って消毒され、放流口３から系外へと排出される。
処理水槽９内で発生したスカムは、発生したガスにより、処理水槽９底部から上方へと直線状に浮上するものの、本願発明では消毒槽１０への流入口２６が、消毒槽水平断面投影領域１４（図１参照）内にあるので、消毒槽１０に入りにくく、仮に入り込もうとしてもバッフル１３により弾かれる。
また、ＳＳ等は、処理水の流れに沿って移流しやすいものの、上向き傾斜の通水路２７を設けていれば、ホッパー効果により、処理水槽９へと沈降させることも可能である。
尚、処理水槽の液面１５からバッフル１３下端迄の高さＨ１は、液面にスカムが発生した際、スカムがバッフル１３を潜り抜けない長さ（寸法）が必要である。スカムの発生量は、流入水の負荷等によって変化し、また、処理水槽９に貯留できるスカムの量は、処理水槽の液面１５の断面積とＨ１の高さの関係から求めることができる。故に、これらを考慮してＨ１の高さを設計することが重要である。
【００１７】
図６は、本発明の１実施例である汚水浄化槽を示す概略断面図であり、図７は、図６に示される汚水浄化槽の平面図である。
本実施例では、嫌気処理及び好気処理を行っており、これらの処理を行った後に、消毒を行い放流している。
汚水浄化槽１には、流入水４を流入させる流入口２が設けられ、ここから流入した流入水４が、先ず嫌気処理を施される。嫌気処理は、嫌気濾床槽第１室６及び嫌気濾床槽第２室７にて行われる。
嫌気濾床槽第１室６には、網様円筒状濾材１８を充填した濾床が設けられ、濾材が流出しないように、濾床の上下に濾材流出防止部材２１を配している。嫌気濾床槽第２室７には、ヘチマ様板状濾材１９を充填した濾床が設けられており、嫌気濾床槽第１室６から嫌気濾床槽第２室７への移流は、移流部１７を通過することで行われる。
また、本実施例では、嫌気濾床槽第１室６及び嫌気濾床槽第２室７共に、下降流にて処理を行っているが、本発明は、これに限定されるものではない。
【００１８】
嫌気処理を行った処理水は、移流部２２を通過して担体流動槽８へと移流する。
担体流動槽８は、上下に担体の流出を防止する担体流出防止部材２３を配置した内部に、中空円筒状担体２０を閉じこめた担体流動床を有しており、この担体流動床に対し散気装置２４から空気を送り込んで好気処理を行う。
好気処理を行った処理水は、その一部をエアリフトポンプ２５により、嫌気濾床槽第１室６へと移送し、他は処理水槽９へと移流させる。
【００１９】
処理水槽９へと移流した後の処理水の流れは、先に図１、４、５を用いて説明した通りであり、消毒を行った後に、放流口３から系外へと排出される。
【図面の簡単な説明】
【００２０】
【図１】本発明の実施例である消毒槽の斜視図を示す。
【図２】本発明の別の実施例である消毒層の斜視図を示す。
【図３】本発明にて述べる消毒槽水平断面投影領域を説明する模式図である。
【図４】図１に示す消毒槽の断面図である。
【図５】図１に示す消毒槽の平面図である。
【図６】本発明の実施例である汚水浄化槽の概略断面図を示す。
【図７】図４に示す汚水浄化槽の平面図である。
【符号の説明】
【００２１】
１…汚水浄化槽、２…流入口、３…放流口、４…流入水、５…処理水、６…嫌気濾床槽第１室、７…嫌気濾床槽第２室、８…担体流動槽、９…処理水槽、１０…消毒槽、１１…消毒筒、１２…消毒剤、１３…バッフル、１４…消毒槽水平断面投影領域、１５…処理水槽の液面、１６…消毒樋、１７…移流部、１８…網様円筒状濾材、１９…ヘチマ様板状濾材、２０…中空円筒状担体、２１…濾材流出防止部材、２２…移流部、２３…担体流出防止部材、２４…散気装置、２５…エアリフトポンプ、２６…流入口、２７…上向き傾斜の通水路。
【図１】
0004999672.tif 000002
【図２】
0004999672.tif 000003
【図３】
0004999672.tif 000004
【図４】
0004999672.tif 000005
【図５】
0004999672.tif 000006
【図６】
0004999672.tif 000007
【図７】
0004999672.tif 000008